(57)【要約】【課題】  電子カメラでは液晶を利用し撮影対象の画像を表示するとともにファイル操作が可能である。しかし、その操作方法は統一されておらずユーザにとってわかりにくいという問題がある。【解決手段】  画像の消去をタッチパネルをこすることで実行することで、直感的な操作方法を提供し、ユーザの使い勝手の向上をはかるものである。【選択図】  図５
2006109137.tif 000002
【特許請求の範囲】
【請求項１】
撮像した静止画像或いは動画像を記録媒体に記録及び再生表示する画像処理装置であって、
撮像手段と、記録手段と、制御手段と、表示手段と、該記画像表示手段上に設けられたタッチパネルから画面への接触の検知を行う入力手段とを有し、
該記制御手段は、
該記入力手段から得られた入力に対応する座標値を計算する座標計算手段と、
座標位置の変位量に基づいて得られる計算結果が特定条件を満たすかどうかを判断する動作判別手段と、
前記特定条件を満たしたときに画像の消去を行うファイル操作手段と、
を有することを特徴とする画像処理装置。
【請求項２】
請求項１に記載の画像処理装置であって、
該記動作判別手段は、該記表示手段によって静止画像或いは動画像が表示された後、
タッチパネル上で入力が検知された座標を入力開始点として設定し、
入力された座標に変化が起こった際に入力開始点からの距離を移動量として計算し、
計算後に移動先の座標を入力開始点に再設定し、
入力された座標に変化があるたびに移動量の計算を繰り返し、
総移動量があらかじめ定められていた移動量を超えた場合に画像の消去を行う、
ことを特徴とする画像処理装置。
【請求項３】
請求項２に記載の画像処理装置であって、
表示画像の切り替えによって総移動量を初期値に戻す、
ことを特徴とする画像処理装置。
【請求項４】
請求項２に記載の画像処理装置であって、
画面への接触がなくなった場合に、総移動量を初期値に戻す消去動作中断手段を有することを特徴とする画像処理装置。
【請求項５】
請求項２に記載の画像処理装置であって、
一定時間入力がなかった場合に、総移動量を初期値に戻す消去動作中断手段を有することを特徴とする画像処理装置。
【請求項６】
請求項１に記載の画像処理装置であって、
該記動作判別手段は、該記表示手段によって静止画像或いは動画像が表示された後、
タッチパネル上で入力が検知されてから計算を開始し、
入力された座標から一定長の領域を塗りつぶし領域として設定し、
入力された座標に変化があるたびに塗りつぶし領域の設定を繰り返し、
上記塗りつぶし領域の総面積を計算し塗りつぶし領域があらかじめ定められていた面積を超えた場合に画像の消去を行う、
ことを特徴とする画像処理装置。
【請求項７】
請求項６に記載の画像処理装置であって、
重複する塗りつぶし領域は計算対象外とすることを特徴とする画像処理装置。
【請求項８】
請求項６に記載の画像処理装置であって、
重複する塗りつぶし領域も計算対象として処理することを特徴とする画像処理装置。
【請求項９】
請求項６に記載の画像処理装置であって、
表示画像の切り替えによって設定された塗りつぶし領域を設定解除する、
ことを特徴とする画像処理装置。
【請求項１０】
請求項６に記載の画像処理装置であって、
画面への接触がなくなった場合に、設定された塗りつぶし領域を取り消す消去動作中断手段を有することを特徴とする画像処理装置。
【請求項１１】
請求項６に記載の画像処理装置であって、
一定時間入力がなかった場合に、設定された塗りつぶし領域を取り消す消去動作中断手段を有することを特徴とする画像処理装置。
【発明の詳細な説明】
【技術分野】
【０００１】
本発明は、静止画像や動画像を撮像、記録、再生する画像処理装置及び画像処理装置制御方法に関する。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダーを備える電子カメラも販売されている。
【０００３】
これらの電子カメラによれば、撮影前の画像を連続して表示して電子カメラの使用者が構図を決定することや、撮影した画像を再生表示して確認することが可能である。
【０００４】
さらに、再生表示ではメモリカード内のファイルを順次閲覧する以外にも、ファイルのプロテクトや消去、回転といったファイル操作を行う機能がある。
【０００５】
しかし、そういった機能は各電子カメラによって操作方法がばらばらである。メニュー画面から何階層かにわたって項目を選択して機能を実行するものが多いが、同じメニュー画面とはいえ、その画面や選択方法もさまざまであるため、ユーザにとってよりわかりやすい操作の実現のために、直感的な操作が望まれていた。
【０００６】
特許文献１には、タッチパネルを使用して、カメラの撮像動作を直感的に操作することができるシステムが開示されている。しかし、上記文献は、直感的な操作方法としてタッチパネルを用いて、ファイル操作を行うようには考えられていない。
【特許文献１】特開平０９−１８６９２３号公報
【発明の開示】
【発明が解決しようとする課題】
【０００７】
電子カメラでは液晶を利用し撮影対象の画像を表示するとともにファイル操作が可能である。しかし、その操作方法は統一されておらずユーザにとってわかりにくいという問題がある。
【０００８】
本発明は上記課題を鑑みて成されたもので、画像の消去をタッチパネルをこすることで実行することで、直感的な操作方法を提供し、ユーザの使い勝手の向上をはかるものである。
【課題を解決するための手段】
【０００９】
上記の目的を達成するための本発明による画像処理装置は、例えば以下の構成を備える。すなわち、撮像した静止画像或いは動画像を記録媒体に記録及び再生表示する画像処理装置であって、撮像手段と、記録手段と、制御手段と、表示手段と、該記画像表示手段上に設けられたタッチパネルから画面への接触の検知を行う入力手段とを有し、該記制御手段は、該記入力手段から得られた入力に対応する座標値を計算する座標計算手段と、座標位置の変位量に基づいて得られる計算結果が特定条件を満たすかどうかを判断する動作判別手段と、前記特定条件を満たしたときに画像の消去を行うファイル操作手段とを備える。
【００１０】
これにより、ボタンやガイダンス、メニューを見ながら探すことなく、直感的に画像消去を行うことができる。
【発明の効果】
【００１１】
以上の説明から容易に理解できるように、本発明によれば、上記の目的を達成するための本発明による画像処理装置は、例えば以下の構成を備える。すなわち、撮像した静止画像或いは動画像を記録媒体に記録及び再生表示する画像処理装置であって、撮像手段と、記録手段と、制御手段と、表示手段と、該記画像表示手段上に設けられたタッチパネルから画面への接触の検知を行う入力手段とを有し、該記制御手段は、該記入力手段から得られた入力に対応する座標値を計算する座標計算手段と、座標位置の変位量に基づいて得られる計算結果が特定条件を満たすかどうかを判断する動作判別手段と、前記特定条件を満たしたときに画像の消去を行うファイル操作手段と、を有することをでタッチパネルの操作で画像消去が可能である。
【００１２】
これにより、ユーザの使い勝手のよさを向上させることが可能である。
【発明を実施するための最良の形態】
【００１３】
以下、図面を参照して本発明の実施形態を説明する。
【００１４】
図１は、本発明の実施形態の構成を示す図である。
【００１５】
図1において、１００は画像処理装置である。
【００１６】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１７】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００１８】
２０は画像処理回路であり、Ａ／Ｄ変換器１６からのデータ或いはメモリ制御回路２２からのデータに対して所定の画素補間処理や色変換処理を行う。
【００１９】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００２０】
さらに、画像処理回路２０においては、撮像した画像データを用いて所定の演算処理を行い、得られた演算結果に基づいてTTL方式のAWB（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２３】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２４】
画像表示部２８を用いて撮像した画像データを逐次表示すれば、電子ファインダー機能を実現することが可能である。
【００２５】
また、画像表示部２８は、システム制御回路５０の指示により任意に表示をON/OFFすることが可能であり、表示をOFFにした場合には画像処理装置１００の電力消費を大幅に低減することが出来る。
【００２６】
３０は撮影した静止画像や動画像を格納するためのメモリであり、所定枚数の静止画像や所定時間の動画像を格納するのに十分な記憶量を備えている。
【００２７】
これにより、複数枚の静止画像を連続して撮影する連射撮影やパノラマ撮影の場合にも、高速かつ大量の画像書き込みをメモリ３０に対して行うことが可能となる。
【００２８】
また、メモリ３０はシステム制御回路５０の作業領域としても使用することが可能である。
【００２９】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３０】
４０は絞り機能を備えるシャッター１２を制御する露光制御手段であり、フラッシュ４８と連携することによりフラッシュ調光機能も有するものである。
【００３１】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３２】
４８はフラッシュであり、AF補助光の投光機能、フラッシュ調光機能も有する。
【００３３】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３４】
５０は画像処理装置１００全体を制御するシステム制御回路、５２はシステム制御回路５０の動作用の定数、変数、プログラム等を記憶するメモリである。
【００３５】
５３はタッチパネルである。
【００３６】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。
【００３７】
また、表示部５４は、その一部の機能が光学ファインダー１０４内に設置されている。
【００３８】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００３９】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４０】
５６は電気的に消去・記録可能な不揮発性メモリであり、例えばEEPROM等が用いられる。
【００４１】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４２】
ここで、これらの操作手段の具体的な説明を行う。
【００４３】
６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００４４】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００４５】
６４はシャッタースイッチSW2で、不図示のシャッターボタンの操作完了でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４６】
６６は画像表示ON/OFFスイッチで、画像表示部２８のON/OFFを設定することが出来る。
【００４７】
この機能により、光学ファインダー１０４を用いて撮影を行う際に、TFT LCD等から成る画像表示部への電流供給を遮断することにより、省電力を図ることが可能となる。
【００４８】
６８はクイックレビューON/OFFスイッチで、撮影直後に撮影した画像データを自動再生するクイックレビュー機能を設定する。なお、本実施形態では特に、画像表示部２８をOFFとした場合におけるクイックレビュー機能の設定をする機能を備えるものとする。
【００４９】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００５０】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５１】
８２はコネクタ、８４はコネクタ、８６はアルカリ電池やリチウム電池等の一次電池やNiCd電池やNiMH電池、Li電池等の二次電池、ACアダプター等からなる電源手段である。
【００５２】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５３】
なお、本実施形態では記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５４】
インターフェース及びコネクタとしては、PCMCIAカードやCF（コンパクトフラッシュ（登録商標））カード等の規格に準拠したものを用いて構成して構わない。
【００５５】
さらに、インタフェース９０及び９４、そしてコネクタ９２及び９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５６】
１０２は、画像処理装置１００のレンズ１０を含む撮像部を覆う事により、撮像部の汚れや破損を防止するバリアである保護手段である。
【００５７】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５８】
１１０は通信手段で、RS232CやUSB、IEEE1394、P1284、SCSI、モデム、LAN、無線通信、等の各種通信機能を有する。
【００５９】
１１２は通信手段１１０により画像処理装置１００を他の機器と接続するコネクタ或いは無線通信の場合はアンテナである。
【００６０】
２００はメモリカードやハードディスク等の記録媒体である。
【００６１】
記録媒体２００は、半導体メモリや磁気ディスク等から構成される記録部２０２、画像処理装置１００とのインタフェース２０４、画像処理装置１００と接続を行うコネクタ２０６を備えている。
【００６２】
２１０はメモリカードやハードディスク等の記録媒体である。
【００６３】
記録媒体２１０は、半導体メモリや磁気ディスク等から構成される記録部２１２、画像処理装置１００とのインタフェース２１４、画像処理装置１００と接続を行うコネクタ２１６を備えている。
【００６４】
図2から図4を参照して、第１の実施形態の動作を説明する。
【００６５】
図2は本発明を実装した電子カメラの操作部材を示す図である。電源ボタン201は電子カメラの起動と終了に用いる。メニューボタン202は撮影条件の変更や日付の設定、画像のプロテクトや削除といったメニューへ入る時に使用するボタンである。また、各種設定モードを終了する場合にも使う。決定ボタン203は選択項目の決定に用いる。表示ボタン204は画像に関する撮影情報の表示・非表示または電子ビューファインダーの表示・非表示を切り替える。左ボタン205は選択項目を左に移動する場合や画像送りに用いる。右ボタン206は選択項目を右に移動する場合や画像送りに用いる。上ボタン207は選択項目を上に移動する場合に用いる。下ボタン208は選択項目を下に移動する場合に用いる。シャッターボタン209は撮影モードで撮影する時に利用するボタンである。ズームボタンはズームレンズを駆動させるボタンであり左右に振ることで撮影対象の画角を変えることができる。モード切替スイッチ211は録画モードと再生モードを切り替える。タッチパネル式液晶画面212は画像を確認しながら撮影する場合に用いる。また撮影した画像の確認にも液晶画面212は用いる。さらに画面上を触れることで、触れた位置情報を得ることができる。
【００６６】
図3は本発明の第一の実施形態の処理の流れを示すフローチャートである。まずタッチパネルへの接触の有無を調べる（S301）。接触がなかった場合は移動量Lをクリアする（S302）。その後、再び入力チェック状態に戻る。タッチパネルから入力があった場合、入力座標に変化があったかどうか調べる（S303）。変化がなかった場合は、入力チェック状態に戻る。変化があった場合は入力された座標から移動量を計算する（S304）。計算で得られた移動量と閾値を比較し（S305）、閾値よりも小さければ入力チェック状態に戻り、閾値より大きければファイルの消去（S306）を実行し次の画像を表示（S307）した後、再び入力チェック状態に戻る。
【００６７】
図3は本発明の第二の実施形態の処理の流れを示すフローチャートである。まずタッチパネルへの接触の有無を調べる（S401）。接触がなかった場合は最後に入力されてからの経過時間を調べる（S402）。最後の入力から一定時間以上経過していれば塗りつぶし領域Aをクリアし（S403）、再び入力チェック状態に戻る。タッチパネルから入力があった場合、入力時刻Tを設定する（S404）。その後、入力座標に変化があったかどうか調べる（S405）。変化がなかった場合は、入力チェック状態に戻る。変化があった場合は入力された座標周辺の塗りつぶしを行う（S406）。そして、得られた座標値から塗りつぶし面積を計算する（S407）。計算で得られた塗りつぶし面積と閾値を比較し（S408）、閾値よりも小さければ入力チェック状態に戻り、閾値より大きければファイルの消去（S409）を実行し次の画像を表示（S410）した後、再び入力チェック状態に戻る。
【００６８】
図5は本実施形態の操作方法の一例を示した。本例ではタッチパネルをこする502ことでその動きに合わせて表示が塗りつぶされて501いき、第一の実施形態では入力された座標の移動距離が一定以上になる503とそのファイルが消去される。
【００６９】
図6は塗りつぶし方法の一例を示す。ポイントされた点601から一定距離の面積を塗りつぶす602。
【００７０】
図7は面積で消される場合の例である。塗りつぶされた部分701だけを取り出し、その部分の面積を計算する。
【００７１】
以上、図1から図9を用いて本発明の実施形態の説明を行った。
【００７２】
なお、実施形態の説明に於いては、画像表示部２８をOFFする場合に、画像表示部２８を構成する全ての要素をOFFするとして説明したが、画像表示部２８の要素の一部をOFFするだけでも勿論問題ない。この場合でも、撮影画像の確認と省電力を共に行う機能を備えることが出来る。例えば、画像表示部２８がLCDとバックライトから構成されている場合、LCDがONのままバックライトのみをOFFしても、実施形態での説明同様、撮影画像の確認と省電力を共に行う機能を備えることが出来る。
【００７３】
また、画像表示ON/OFFスイッチ６６とクイックレビューON/OFFスイッチ６８は、それぞれ独立した構成として説明したが、画像表示ON/OFFスイッチ６６とクイックレビューON/OFFスイッチ６８を一つの兼用スイッチとしてまとめ、画像表示ON/クイックレビューのみ画像表示ON/画像表示OFFの3ポジションを備える構成としても勿論問題ない。
【００７４】
そして、画像表示部２８によるクイックレビュー表示を終える指示を行った際に、最低時間クイックレビュー表示を継続するミニマムレビュー時間の経過を判断するとして説明したが、ミニマムレビュー時間を設定しない構成としても勿論問題無い。この場合、図3に於いて、Ｓ１３７でのミニマムレビュー時間の経過を判断する処理を除去したフローチャートとすれば良い。
【００７５】
また、スルー表示とクイックレビュー表示を行うそれぞれ専用の画像表示部を備える構成として、それらの表示部のON/OFFを画像表示ON/OFFスイッチ及びクイックレビューON/OFFスイッチの設定に応じて行う構成としても構わない。この場合も、実施形態の説明と同様に、撮影画像の確認と省電力を共に行う機能を備えることが出来る。
【００７６】
そして、画像表示ON/OFFスイッチがONの場合はクイックレビューON/OFFスイッチの設定に関わらず撮影直後のクイックレビュー表示を行うものとして説明を行ったが、画像表示ON/OFFスイッチがONの場合にクイックレビューON/OFFスイッチの設定に応じてクイックレビュー表示を行うか否かを決定するようにしても構わない。
【００７７】
なお、記録媒体２００及び２１０は、PCMCIAカードやコンパクトフラッシュ（登録商標）等のメモリカード、ハードディスク等だけでなく、マイクロDAT、光磁気ディスク、CD-RやCD-WR等の光ディスク、DVD等の相変化型光ディスク等で構成されていても勿論問題無い。
【００７８】
また、記録媒体２００及び２１０がメモリカードとハードディスク等が一体となった複合媒体であっても勿論問題無い。さらに、その複合媒体から一部が着脱可能な構成としても勿論問題無い。
【００７９】
そして、実施形態の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【００８０】
また、画像処理装置１００に記録媒体２００或いは２１０が、単数或いは複数の任意の個数接続可能な構成であっても構わない。
【００８１】
そして、画像処理装置１００に記録媒体２００及び２１０が装着する構成として説明したが、記録媒体は単数或いは複数の何れの組み合わせの構成であっても、勿論問題無い。
【図面の簡単な説明】
【００８２】
【図１】本発明の一実施形態の構成ブロック図である。
【図２】本実施形態の操作部材である。
【図３】本実施形態のフローチャートである。
【図４】本実施形態のフローチャートである。
【図５】本実施形態の操作例を示す図である。
【図６】本実施形態の表示方法を示す図である。
【図７】本実施形態の実装例を示す図である。
【図１】
2006109137.tif 000003
【図２】
2006109137.tif 000004
【図３】
2006109137.tif 000005
【図４】
2006109137.tif 000006
【図５】
2006109137.tif 000007
【図６】
2006109137.tif 000008
【図７】
2006109137.tif 000009